(57)【要約】概して三角形の形状を有するゴルフ・パター・ヘッドで、打球する前壁は後壁の第二幅より大きい第一幅を有している。この前壁と後壁は、その各両端部にてお互いに向かって収斂する側壁により相互連結され、台形を有するキャビティを画定する。該ゴルフ・パター・ヘッドの重心は、前壁より後壁により近いので、パット中、前壁のスウィート・スポットを外すことによる影響を減ずる慣性モーメントが発生する。第二の実施例では、後壁は重りにより加重され重心を後壁に更により近く移動させる。第三の実施例では、ウェッブが前壁と後壁とをゴルフ・パター・ヘッドの長手方向軸に沿って相互連結していて、前記キャビティを２個の同サイズのキャビティに分ける。
2006515208.tif 000002
【特許請求の範囲】
【請求項１】
ゴルフ・パター・ヘッドであって、
概して三角形の形状を有する本体であって、
上縁部と底縁部とを有する第一幅を有する前壁と；
上縁部と底縁部とを有する前記第一幅より小さい第二幅を有する後壁とを有する本体と；
前記前壁の第一端部と前記後壁の第一端部とを相互連結する第一側壁と；
前記前壁の第二端部と前記後壁の第二端部とを相互連結する第二側壁と；
前記前壁の前記底縁部と前記後壁の前記底縁部とを相互連結する底板であって、
前記後壁の前記第二幅より小さい幅を有する底板と；
前記本体内に形成され、四つの側面を前記前壁と前記後壁と前記第一側壁と前記第二側壁とで囲まれているキャビティであって、
上端部は囲むものがなく、低端部は前記底板によって部分的に囲まれているキャビティと；
前記前壁に取り付けられるのに適合した打球面と；を備え、
前記底板は前記前壁と前記後壁とに垂直で、前記前壁の幅より大きい長さを有し、
これにより前記後壁は、前記パター・ヘッドの重心を前記前壁と前記後壁との間の距離の約３分の２のところに位置づけするのに十分な距離だけ、前記前壁から後方にある関係で離れており、前記重心は前記前壁よりも前記後壁により近くにあり、かつ、
これにより前記重心の前記位置づけは、前記打球面のスウィート・スポットを外すパットによる影響を最少にするように高められた慣性モーメントを提供する、ゴルフ・パター・ヘッド。
【請求項２】
請求項１のゴルフ・パター・ヘッドであって、前記後壁に形成されたキャビティと；
重心を前記前壁から更に遠ざけ前記後壁により近く位置づけることにより前記慣性モーメントを更に高めるために前記キャビティ内に配置された加重手段と；
を更に備えるゴルフ・パター・ヘッド。
【請求項３】
請求項１のゴルフ・パター・ヘッドであって、
前記前壁と前記後壁との間を相互連結する関係で位置しているウェブであって、
前記前壁と前記後壁とに垂直に位置しているウェブを更に備え、
前記キャビティは前記ウェブにより２個のキャビティに分けられており、
これにより前記ウェブは前記前壁に加えられた力を少なくとも一部分前記後壁に伝え；
これにより前記前壁により付与される前記加えられた力への抵抗が前記後壁により付与される抵抗により補充される、
ゴルフ・パター・ヘッド。
【請求項４】
請求項３のゴルフ・パター・ヘッドであって、
前記底板は前記ゴルフ・パター・ヘッドの長手方向対称軸上に中心が在り；
前記ウェブは前記底板に直立関係で取り付けられており；
前記ウェブは前記ゴルフ・パター・ヘッドの長手方向対称軸上に位置し、前記キャビティを同じサイズの２個のキャビティに分けているゴルフ・パター・ヘッド。
【請求項５】
請求項１のゴルフ・パター・ヘッドであって、前記ゴルフ・パター・ヘッドの前記前壁は横幅が約４インチ（１０．１６ｃｍ）であるゴルフ・パター・ヘッド。
【請求項６】
請求項１のゴルフ・パター・ヘッドであって、前記ゴルフ・パター・ヘッドは３５０グラム（３５０ｇｍ）を超えない重さであるゴルフ・パター・ヘッド。
【請求項７】
請求項１のゴルフ・パター・ヘッドであって、慣性モーメントが４，０００グラム平方センチメートル（４，０００gm cm2）を超えるゴルフ・パター・ヘッド。
【請求項８】
請求項１のゴルフ・パター・ヘッドであって、前記ゴルフ・パター・ヘッドの前記前壁は横幅が約４インチ（１０．１６ｃｍ）であり、前記ゴルフ・パター・ヘッドは３５０グラム（３５０ｇｍ）を超えない重さであり、かつ、慣性モーメントが４，０００グラム平方センチメートル（４，０００gm cm2）を超えるゴルフ・パター・ヘッド。
【発明の詳細な説明】
【技術分野】
【０００１】
本発明は、概してゴルフ・パターに関する。より詳細には、本発明は高慣性モーメントを有する概して三角形の形状のゴルフ・パターに関する。
【従来技術の記載】
【０００２】
完璧なパットの場合、ゴルファーはボールをパター・ヘッドの正にスイート・スポットで打っている。これはパター・ヘッドが、ゴルフ・クラブのシャフトにより画定される軸の回りにねじれるのを防いでいる。しかしながら、スイート・スポットから外れたとき、ボールにより与えられた慣性はトルクをゴルフ・クラブのシャフトへ分与する。このトルクはスイート・スポットから外れる距離に正比例して増加する。
【０００３】
高慣性モーメントを有するパター・ヘッドはスイート・スポットを外すことにより起こるトルクに抵抗する。高慣性モーメントを有するパター・ヘッドは、概して極めて幅が広くかつ、その最も外側の端部に取り付けられた重りを有している。しかしながら、多くのゴルファーは、明らかに特大のパター・ヘッドより通常のサイズの魅力的なパター・ヘッドでプレーするのを好む。
【０００４】
したがって、高慣性モーメントを提供する、実質的に通常の幅（width)または横幅（breadth)を有する魅力的なゴルフ・クラブのパター・ヘッドへのニーズが存在する。
しかし、本発明がなされた時点で従来の技術を全体として考慮してみると、関連技術の当業者にとってはどのようにしてこのようなニーズが実現され得るかは明らかではなかった。
【発明の開示】
【課題を解決するための手段】
【０００５】
長期にわたる、しかし今まで実現しなかった、高慣性モーメントを提供する受入れ可能なサイズのゴルフ・パター・ヘッドへのニーズが今、新しい、有用な、かつ非自明性の発明により満たされた。この新規のゴルフ・パター・ヘッドは概して三角形の形状を有する本体を含む。該本体の前壁は第一幅と上縁部と底縁部とを有している。同本体の後壁は前記第一幅より小さい第二幅と上縁部と底縁部とを有している。
【０００６】
第一側壁が前壁の第一端部と後壁の第一端部とを相互連結している。第二側壁が前壁の第二端部と後壁の第二端部とを相互連結している。
底板が前壁の底縁部と後壁の底縁部とを相互連結している。該底板は後壁の幅より小さい幅を有している。同底板は前壁と後壁とに垂直であり、前壁の幅より大きい長さを有している。
【０００７】
キャビティが本体内に形成されていて、四つの側面を前壁と後壁と第一側壁と第二側壁とで囲まれている。このキャビティは上端部では囲むものがなく低端部では底板によって部分的に囲まれている。
【０００８】
後壁は、パター・ヘッドの重心を前壁と後壁との間の距離の約３分の２のところに位置づけるのに十分な距離だけ、前壁から後方にある関係で離れている。従って、重心は前壁よりも後壁により近い。このような重心の位置づけは、高められた慣性モーメントを提供し、前壁に設けられるのに適合した打球面のスウィート・スポットを外すパットによる影響を最少にする。
【０００９】
第二の実施例では、重り受け入れキャビティがパター・ヘッドの後方部分に形成される。このパター・ヘッドの後方部分はパター・ヘッドの後壁と該キャビティの各後方端部との間の部分として画定される。
【００１０】
加重手段が、重心を前壁から更に遠ざけ後壁により近く位置づけることにより慣性モーメントを更に高めるためにキャビティ内に配置される。
本発明の好ましい実施例においては、直立したウェブが前壁と後壁との間に相互連結関係で位置している。該ウェブは前壁と後壁とに垂直に位置している。よって、該キャビティは同ウェブにより２個のキャビティに分けられる。従って、同ウェブは前壁に加えられた力を少なくとも一部分後壁に伝えることによって、後壁により示される抵抗が前壁により示されるその加えられた力への抵抗を補充する。
【００１１】
前記底板は、ゴルフ・パター・ヘッドの長手方向対称軸上の中心に在り、前記ウェブは同底板に直立関係で設けられる。より詳細には、同ウェブはゴルフ・パター・ヘッドの長手方向軸上に位置し、同キャビティを同じサイズの２個のキャビティに分ける。
【００１２】
本発明の重要な目的は、４，０００gm cm2より大きい慣性モーメントを有するゴルフ・パター・ヘッドを提供することである。
密接に関係する目的は、軽重量で製作費の高くないパター・ヘッドにおいて前記目的を達成することである。
【００１３】
もう一つの重要な目的は、受入れ可能で、美学的に見て美しいサイズを有する高慣性モーメントのパター・ヘッドを提供することである。
本発明のこれらの、また他の重要な目的、利点、および特性はこの記載が進むにつれて明確になろう。
【００１４】
従って、本発明は、これ以降に明らかにする記載に例示される構成の特徴、要素の組み合わせ、部品の配置を含み、本発明の範囲は特許請求の範囲に示されるであろう。
【好適な実施例の詳細な記載】
【００１５】
図１を参照すると、参照番号１０は本発明の実施例を全体として図示しているのが分かるであろう。
ゴルフ・パター１０は、グリップ１２とシャフト１４と新規なパター・ヘッド１６とを有する。図２にて最も良く示されるように、新規なパター・ヘッド１６は、図示されていない、打球挿入物を受け入れるために形成された凹部２０を有する、横断方向に配置された前壁１８を備える。凹部２０は、シャフト１４の先端のために強化された構造的支持を提供するためその右端部２２で深さが小さくなっていて、該先端はめくら穴２４内に受け入れられている。
【００１６】
好適な実施例においては、前壁１８の幅は僅か４インチ（１０．１６ｃｍ）である。これは、パター・ヘッド１６を、非常に幅の広い非審美的な前壁に依存する全ての高慣性モーメントパター・ヘッドから区別している。
【００１７】
ゴルフ・パター・ヘッド１６は、前壁１８と平行で横断的に配置された後壁２６を更に含む。前壁１８の幅広さ又は幅又は横断方向広がりは、後壁２６の幅広さ又は幅又は横断方向広がりより大きい。
【００１８】
図２から図５まで一体に考慮することにより最もよく理解されるだろうが、第一側壁２８は、前壁１８の第一端部と後壁２６の第一端部とを相互に連結する。第二側壁３０は前壁１８の第二端部と後壁２６の第二端部とを相互に連結する。従って、側壁２８と側壁３０は、お互いに向かって前記前壁から前記後壁へと収斂する。図４の平面図に最もよく示されるが、この新規の構造は概して三角形のパター・ヘッドを創る。より正確には、その形状は丸コーナーを有する台形である。
【００１９】
前壁１８から後壁２６までの縦の長さは、該前壁１８の横の長さよりより大きいことに注意されたい。また、後壁２６がパター・ヘッドのスウィート・スポットに関してその後方で中心決めされ、かつ、その両端はパター・ヘッドの長手方向対称軸に接近して配置されるように切りつめた幅を有していることも注意して見る価値がある。該スウィート・スポットは同長手方向対称軸上に中心があることが理解されよう。
【００２０】
図４および図６で最もよく見える底板３４は、前壁１８と後壁２６との間を相互連結する関係で配置され、ゴルフ・パター・ヘッド１６の長手方向対称軸に中心決めされている。より詳細には、底板３４は前壁１８の底縁部と後壁２６の底縁部とを相互連結している。前壁１８に加えられた力は、該底板により又側壁２８、３０によっても後壁２６に伝えられる。
【００２１】
直立したウェブ３６が底板３４上に設けられかつ上方に突き出ており、パター・ヘッド１６の長手方向対称軸と一致する。ウェブ３６の上縁部３６aは、側壁２８の上縁部２８aとそして側壁３０の上縁部３０aと同一平面上に在る。
【００２２】
底板３４とウェブ３６を除き、前壁１８と後壁２６と側壁２８、３０とで周辺を囲まれる空間は空っぽである、つまり、パター・ヘッド１６は、実質的に中空の構造になっている。従ってウェブ３６は、その中空な空間をキャビティ３８とキャビティ４０とに分けていることが理解されよう。キャビティ３８とキャビティ４０は、パター・ヘッド１６の重さを軽減し、該パター・ヘッドの重心を前壁１８の後ろ側に位置させる。
【００２３】
キャビティ３８とキャビティ４０は、後壁２６までは延びてはいない。従って、パター・ヘッド１６の質量の大部分はその後方端部２６aに与えられ、それによって、パター・ヘッド１６の重心を前壁１８の後方にある関係で位置させる。これは、該パター・ヘッドの慣性モーメントを増加させる。もしもパター・ヘッド１６が単一の材料、例えば、ステンレス・スティールから出来ているならば、慣性モーメントはそれでも高いが、後方端部２６aに重りをつけて達成される慣性モーメントよりは少ないであろう。
【００２４】
後方端部２６aに加重手段を加えることによって重心は前壁１８から更に移動し、慣性モーメントは増大する。重りを付けられたパター・ヘッドは本発明の第二実施例を表している。このような加重手段は図６の４２で示してある。キャビティ４２aは後方端部２６aにミル加工され、前記加重手段を受け入れ、この加重手段が適切な取り付け手段、例えばファスナー４４，４４（図２、図４）によってその中に固定されたとき該加重手段はキャビティ４２aの上端と同一平面上に在る。
【００２５】
加重手段４２が銅で形成されている場合、パター・ヘッド１６の慣性モーメントは約５８６０ｇｍ ｃｍ2である。加重手段４２が２５／７５の銅／タングステン合金で形成されている場合、同慣性モーメントは約６８００ｇｍ ｃｍ2であり、加重手段４２がタングステンのみで形成されている場合、同慣性モーメントは約７２００ｇｍ ｃｍ2である。
【００２６】
加重手段４２が銅で形成されている場合、パター・ヘッド１６の重心は前壁１８から後壁２６までの距離の約６０％のところに位置する。加重手段４２が２５／７５の銅／タングステン合金で形成されている場合、同重心は前壁１８から後壁２６までの距離の約７０％のところに位置し、加重手段４２がタングステンのみで形成されている場合、同重心は前壁１８から後壁２６までの距離の約７８％のところに位置する。
【００２７】
溝４６がパター・ヘッド２６の上部に形成され、前壁１８の上端縁から後壁２６の上端縁までウェブ３６の上端縁に沿って延びている。該溝４６は従って、パター・ヘッド１６の長手方向軸に一致し、ゴルファーがパターの照準あわせをするとき使用し得る視準線を提供する。
【００２８】
図９と図１０で示される第三の実施例においては、ウェブ３６はあらかじめ除かれ、それにより唯一のキャビティ３９が設けられている。従って溝４６は台形の前部４６aと台形の後部４６bとに分けられるが,該台形の両部はどちらもゴルファーがパットの照準合わせをするとき使用できる視準線を、共同して提供する。
【００２９】
ウェブ３６の除去は、重心をはじめの二つの実施例に対して前壁１８の後方側に更により遠くに移動させ、従ってその慣性は、また加重手段が本第二実施例のように後方端部に加えられるかどうかによって更に増加され得る。
【００３０】
図１０はまた、左利きゴルファーのために強化挿入物２２aが凹部２０の反対側の端部に移動されているのと、めくら穴２４も再配置されているのを示している。
本発明のパター・ヘッドの上記の実施例により達成された高慣性モーメントは、横幅がわずか４インチ（１０．１６ｃｍ）の前壁を有するゴルフ・パターでも、あるいは３５０グラム未満の重さのゴルフ・パター・ヘッドでも、あるいはそのように受入れ可能なサイズのパター・ヘッドでも、今まで決して達成されたことはない。
【００３１】
従って、以上に示した目的および先の記載から明らかにされた目的は、効果的に達成されることが理解されるであろう。上記の構成におけるいくつかの変更は本発明の範囲から離れることなくなされ得るので、先の記載に含まれた又は添付図面に示された全内容は、例証であって、限定する意味ではないと解釈されるよう意図されよう。
【００３２】
後続の特許請求の範囲は、ここに記載した本発明の一般のおよび特定の形態の全てを、そして、言語の問題としてその間に収まると言われ得る本発明の範囲のすべての記述を、カバーするよう意図されているということも理解されるべきである。
【００３３】
今や、本発明は記載が終わった。
【図面の簡単な説明】
【００３４】
本発明の本質と目的のより十分な理解のためには、添付図面と関連してなされた以下の詳細な記載を参照するべきである。
【図１】本発明の新規のパター・ヘッドを装備したパターの透視図である。
【図２】本発明の新規のパター・ヘッドの第一実施例の透視図である。
【図３】前記第一実施例の背面図である。
【図４】前記第一実施例の平面図である。
【図５】前記第一実施例の側面図である。
【図６】前記第一実施例の底面図である。
【図７】図４の７−７の線に沿った横断面図である。
【図８】図４の８−８の線に沿った横断面図である。
【図９】第二実施例の上方透視図である。
【図１０】左利きゴルファーのための第二実施例のパター・ヘッドの上方透視図である。
【図１】
2006515208.tif 000003
【図２】
2006515208.tif 000004
【図３】
2006515208.tif 000005
【図４】
2006515208.tif 000006
【図５】
2006515208.tif 000007
【図６】
2006515208.tif 000008
【図７】
2006515208.tif 000009
【図８】
2006515208.tif 000010
【図９】
2006515208.tif 000011
【図１０】
2006515208.tif 000012
【国際調査報告】
2006515208.tif 000013